(57)【要約】【課題】  選択スキャン線を流れる電流の大きさに基づいて非選択スキャン線に印加するバイアス電圧を決めることにより、発光を阻止するためのバイアス電圧の増大を最小限にする。【解決手段】  マトリクス状に配置されたデータ線とスキャン線の各交点に接続した複数の発光素子を含み、各発光素子の発光層が第１及び第２の電極で挟持される表示パネルと、発光素子を発光させる際に、発光素子の第１の電極と接続したデータ線に発光輝度に応じた電流を流すように駆動するデータ駆動回路と、発光素子の第２の電極と接続したスキャン線を順次選択するスキャン回路と、非選択のスキャン線の各発光素子に印加される電圧が非発光状態を保つための所定の閾値以下となるようにバイアス電圧を非選択のスキャン線に印加する電源と、バイアス電圧を選択スキャン線の各発光素子を流れる電流の総和に基づいて可変する電圧調整回路とを備える。【選択図】  図５
2005070314.tif 000002
【特許請求の範囲】
【請求項１】
マトリクス状に配置されたデータ線とスキャン線の各交点に接続した複数の発光素子を含み、各発光素子の発光層を第１及び第２の電極で挟持するよう構成した表示パネルと、
前記発光素子を発光させる際に、各発光素子の前記第１の電極と接続した前記データ線に発光輝度に応じた電流を流すように駆動するデータ駆動回路と、
各発光素子の前記第２の電極と接続した前記スキャン線を順次選択するスキャン回路と、
非選択のスキャン線の各発光素子に印加される電圧が非発光状態を保つための閾値以下となるようにバイアス電圧を前記スキャン回路を介して非選択のスキャン線に印加する電源と、
前記電源から印加される前記バイアス電圧を、選択スキャン線の各発光素子を流れる電流の総和に基づいて可変する電圧調整回路と
を備えることを特徴とするディスプレイ表示装置。
【請求項２】
前記電圧調整回路は、非選択のスキャン線の各発光素子の前記第２の電極の配線抵抗による電圧降下を含めたバイアス電圧を非選択のスキャン線に印加するよう構成したことを特徴とする請求項１記載のディスプレイ表示装置。
【請求項３】
前記電圧調整回路は、各データ線の輝度を制御するために送出されるデジタルデータを演算して得られた値に基づいて前記バイアス電圧を決定することを特徴とする請求項１記載のディスプレイ表示装置。
【請求項４】
マトリクス状に配置されたデータ線とスキャン線の各交点に接続した複数の発光素子を
含み、各発光素子の発光層を第１及び第２の電極で挟持するよう構成した表示パネルと、前記発光素子を発光させる際に、各発光素子の前記第１の電極と接続した前記データ線に発光輝度に応じた電流を流すように駆動するデータ駆動回路と、各発光素子の前記第２の電極と接続した前記スキャン線を順次選択するスキャン回路とを備えるディスプレイ表示装置の駆動方法であって、
非選択のスキャン線の各発光素子に印加される電圧が非発光状態を保つための閾値以下となるようにバイアス電圧を非選択のスキャン線に印加する電圧印加手順と、
前記バイアス電圧を、選択スキャン線の各発光素子を流れる電流の総和に基づいて可変する電圧調整手順と
を有することを特徴とするディスプレイ表示装置の駆動方法。
【請求項５】
マトリクス状に配置されたデータ線とスキャン線の各交点に接続した複数の発光素子を
含み、各発光素子の発光層を第１及び第２の電極で挟持するよう構成した表示パネルと、
前記発光素子を電流駆動するための駆動用ドライバＩＣを搭載し、前記表示パネル外側に配設される基板と、
前記表示パネルと前記駆動用ドライバＩＣを接続する配線と
を備え、かつ、前記配線が、前記表示パネルのスキャン線側の各第２の電極端子から引き出され、前記第２の電極端子と略同じ幅で直線状に形成される第１の配線と、前記駆動用ドライバＩＣと接続するため前記基板上に配設され、前記表示パネルの第２の電極材料よりも低抵抗な材料を用いて形成される第２の配線とから構成されることを特徴とするディスプレイ表示装置。
【発明の詳細な説明】
【技術分野】
【０００１】
本発明は、有機ＥＬ（ｅｌｅｃｔｒｏ−ｌｕｍｉｎｅｓｃｅｎｃｅ）素子等の発光素子を用いて構成されるパッシブマトリクス型駆動方式のディスプレイ表示装置に関する。
【背景技術】
【０００２】
近年、有機薄膜のＥＬ現象を用いた有機ＥＬ素子がイーストマン・コダック社のＣ・Ｗ・Ｔａｎｇ等により開発されている。自己発光型で応答特性のよい薄膜型ディスプレイということで、新しい平面型ディスプレイとして期待されている。
【０００３】
図１は、従来のパッシブマトリクス型ディスプレイ表示装置の構成を示す。
【０００４】
図１のディスプレイ表示装置１０は、データ駆動回路２２と、スキャン回路２４と、パッシブマトリクス型有機ＥＬディスプレイパネル（以下、表示パネルという）２０とを含む。表示パネル２０においては、複数の有機ＥＬ素子が発光素子としてマトリクス状に配設されており、各発光素子（画素）はデータ駆動回路２２からのデータ線とスキャン回路２４からのスキャン線の各交点に接続されている。各交点において、有機ＥＬ素子の発光層がデータ線（陽極）とスキャン線（陰極）間に挟持されている。
【０００５】
図３は、図１のディスプレイ表示装置１０における各発光素子（有機ＥＬ素子）２の構成を示す断面図である。
【０００６】
図３に示したように、この発光素子２は、ガラス基板１１上に設けられた陽極１２に、正孔注入層１３、有機ＥＬ発光層１４、電子注入層１５、陰極１６が順に積層されている。
【０００７】
陽極１２は、発光する光の透過率を高める透明電極であり、例えばＩＴＯ（ｉｎｄｉｕｍ  ｔｉｎ  ｏｘｉｄｅ）等の透明な導電材料で形成される。正孔注入層１３は、陽極１２からの正孔注入効率、正孔移動度及びキャリア密度の高い有機材料で形成される。正孔注入層１３は、真空蒸着法、スピンコートあるいはキャスト法を用いて陽極１２上に形成可能である。有機ＥＬ発光層１４は、正孔注入層１３上に設けられ、陰極１６からの電子注入効率の高い有機材料で形成される。電子注入層１５は、有機ＥＬ発光層１４上に設けられ、陰極１６からの電子注入効率、電子移動度の高い有機材料で形成される。陰極１６は、電子注入層１５との密着性がよく、電子注入効率の高い金属材料で形成される電極であり、例えば、Ａｌ、Ｌｉ、Ｍｇ、Ｉｎ、Ａｇ等の金属単体又はこれら金属の合金が単層又は積層して使用可能である。
【０００８】
このような有機ＥＬ素子を用いて構成されるディスプレイ表示装置では、陽極１２と陰極１６がストライプ状に形成され、かつ、駆動電圧印加用のドライバ及びその制御部が設けられることにより、線順次走査に従いマトリックス駆動が可能となる。
【０００９】
特許第３０６３４５３号公報には、非選択電極に逆バイアス電圧となる電圧を印加して発光層における半励起半発光状態の形成を阻止するための駆動方法が開示されている。
【００１０】
また、特開２００２−３２０５８号公報には、発光素子のバイアス電圧を制御して発光素子に流れる電流を可変にすることにより、発光素子の輝度を制御するための駆動方法が開示されている。
【特許文献１】特許第３０６３４５３号公報
【特許文献２】特開２００２−３２０５８号公報
【発明の開示】
【発明が解決しようとする課題】
【００１１】
図２は、図１のディスプレイ表示装置における駆動方式を説明するための図である。
【００１２】
図２のディスプレイ表示装置１０において、データ駆動回路２２と表示パネル２０の各発光素子間のデータ線は、１番目のデータ線Ｄ１から９６０番目のデータ線Ｄ９６０までを含み、データ駆動回路２２からの各データ線は電極端子４を介して表示パネル２０に接続されている。スキャン回路２４からのスキャン線は、ｉ番目のスキャン線Ｓｉと（ｉ−１）番目のスキャン線Ｓｉ−１とを含む。
【００１３】
ｉ番目のスキャン線Ｓｉを選択してこのスキャン線Ｓｉ上の各発光素子２を発光させるとき、スキャン線Ｓｉを流れる電流は、１番目のデータ線Ｄ１から９６０番目のデータ線Ｄ９６０をそれぞれ流れる電流の総和に等しい。このときの電流の総和をＩｓとすると、選択スキャン線Ｓｉの配線抵抗Ｒｉに生じる電位（電圧降下）は、Ｉｓ・Ｒｉに等しい。
【００１４】
選択スキャン線Ｓｉと隣り合う、（ｉ−１）番目の非選択スキャン線Ｓｉ−１に印加すべきバイアス電圧Ｖｂは、選択スキャン線Ｓｉの配線抵抗Ｒｉに生じる上記配線抵抗の電位（電圧降下）Ｉｓ・Ｒｉと、発光している有機ＥＬ素子の電位Ｖｅとの和に相当する電圧に設定する必要がある。
【００１５】
特に、ディスプレイ表示装置を高精細化、大型化しようとする際には、表示パネル２０の各発光素子の陽極や陰極の配線抵抗が問題となる。ディスプレイ表示装置を高精細化、大型化すると、配線が長くなり、配線の幅が小さくなるため抵抗が増大する。図２で説明したように、線順次走査時に、陰極（スキャン線）には、マトリクスを形成する全ての陽極（データ線）を流れる電流が合流し、その結果、陰極の配線抵抗による電圧降下が大きくなる。有機ＥＬ素子にかかる電圧を保つためには陽極に印加する電圧を高くする必要がある。
【００１６】
その場合に、非選択電極の有機ＥＬ素子（画素）の発光を防ぐには、電圧降下と有機ＥＬ素子に印加される電圧の和に相当する電圧が必要となる。つまり、ディスプレイ表示装置を高精細化、大型化する際に、従来の構成では、有機ＥＬ素子の非発光時に印加される、発光を阻止するためのバイアス電圧が非常に高くなり、耐圧特性の良い素子を使う必要が生じる。
【００１７】
本発明は、上記の点に鑑みてなされたものであり、ディスプレイ表示装置において、選択スキャン線を流れる電流の大きさに基づいて非選択スキャン線に印加するバイアス電圧を決めることにより、発光を阻止するためのバイアス電圧の増大を最小限にすることを目的とする。
【００１８】
また、従来のディスプレイ表示装置では、駆動用ドライバＩＣと接続するために、陰極電極から駆動用ドライバＩＣとの接続部までの配線は、表示パネル上で接続ピッチを合わせるために、配線部を絞ることが多かった。このため、配線抵抗が大きくなり、陰極の位置に配線の引き回し部の抵抗が異なることになり、輝度低下や輝度むらの原因となっていた。この従来のディスプレイ表示装置の構成について、図７を用いて説明する。
【００１９】
図７において、携帯情報端末用の表示パネル２０の表面は、発光素子アレイが配設される表示領域２０ａと、封止板を取付けるために設けられる封止板領域２０ｂとを含む。表示領域２０ａのサイズは、例えば７１．５２×５３．６４ｍｍである。
【００２０】
図７に示したように、表示パネル２０に駆動用ドライバＩＣ３４を接続するため、フィルム基板（ＣＯＦ）３０を用いた構成において、フィルム基板３０上に配設された駆動用ドライバＩＣ３４と接続するために、表示パネル２０の陰極電極から駆動用ドライバＩＣ３４への接続部は、表示パネル２０端部からの引き回し配線３１と、フィルム基板３０上の配線３２とを含む。
【００２１】
ここで、従来の構成では、表示パネル２０上の引き回し配線３１は、表示パネル２０上で接続ピッチを合わせるために絞ることが多い。このため、配線抵抗が高くなり、陰極の位置によって引き回し部の抵抗が異なることになり、輝度低下や輝度むらの原因となっていた。
【００２２】
特に、走査側の電極（陰極）の端子部には、各データ線に流れる電流が合流するため電流量が多く、配線抵抗による電圧降下の影響が非常に大きくなるという課題があった。
【００２３】
本発明は、上記の点に鑑みてなされたものであり、ディスプレイ表示装置において、陰極の配線抵抗による電圧降下を最小限にすることを目的とする。
【課題を解決するための手段】
【００２４】
上記課題を解決するため、本発明の第１の側面は、マトリクス状に配置されたデータ線
とスキャン線の各交点に接続した複数の発光素子を含み、各発光素子の発光層を第１及び第２の電極で挟持するよう構成した表示パネルと、前記発光素子を発光させる際に、各発光素子の前記第１の電極と接続した前記データ線に発光輝度に応じた電流を流すように駆動するデータ駆動回路と、各発光素子の前記第２の電極と接続した前記スキャン線を順次選択するスキャン回路と、非選択のスキャン線の各発光素子に印加される電圧が非発光状態を保つための閾値以下となるようにバイアス電圧を前記スキャン回路を介して非選択のスキャン線に印加する電源と、前記電源から印加される前記バイアス電圧を、選択スキャン線の各発光素子を流れる電流の総和に基づいて可変する電圧調整回路とを備えることを特徴とするディスプレイ表示装置である。
【００２５】
上記課題を解決するため、本発明の第２の側面は、マトリクス状に配置されたデータ線
とスキャン線の各交点に接続した複数の発光素子を含み、各発光素子の発光層を第１及び第２の電極で挟持するよう構成した表示パネルと、前記発光素子を電流駆動するための駆動用ドライバＩＣを搭載し、前記表示パネル外側に配設される基板と、前記表示パネルと前記駆動用ドライバＩＣを接続する配線とを備え、かつ、前記配線が、前記表示パネルのスキャン線側の各第２の電極端子から引き出され、前記第２の電極端子と略同じ幅で直線状に形成される第１の配線と、前記駆動用ドライバＩＣと接続するため前記基板上に配設され、前記表示パネルの第２の電極材料よりも低抵抗な材料を用いて形成される第２の配線とから構成されることを特徴とするディスプレイ表示装置である。
【発明の効果】
【００２６】
本発明の第１の側面によれば、バイアス電圧を実際に印加される電圧に応じて同時に各有機ＥＬ素子に印加されるので、有機ＥＬ素子にかかる実効的なバイアス電位は有機ＥＬ素子の発光閾値電圧以下となり、有機ＥＬ素子の耐圧を大きくする必要がない。また、有機ＥＬ素子のリーク電流が少なくなり寿命を長くできる。本発明の第２の側面によれば、有機ＥＬディスプレイ表示装置における陰極の配線抵抗による電圧降下を最小限にすることが可能であるので、輝度低下や輝度むらのない高品位な表示が実現できる。
【発明を実施するための最良の形態】
【００２７】
図４は、本発明のディスプレイ表示装置の動作原理を説明するための図である。
【００２８】
図４において、２は有機ＥＬ素子（発光素子）を、４は表示パネルの表示領域の外側に設けられるフィルム基板（ＣＯＦ）上の駆動用ドライバＩＣと接続するための電極端子をそれぞれ示す。
【００２９】
図２を用いて上述したように、有機ＥＬディスプレイ表示装置の駆動方式では、選択スキャン線の各発光素子を発光させるとき、選択スキャン線を流れる電流は、各発光素子のデータ線をそれぞれ流れる電流の総和に等しい。このときの電流の総和をＩｓとすると、選択スキャン線の配線抵抗Ｒｉに生じる電位（電圧降下）は、Ｉｓ・Ｒｉに等しい。このとき、非選択スキャン線に印加すべきバイアス電圧Ｖｂは、選択スキャン線の配線抵抗に生じる電圧降下Ｉｓ・Ｒｉと、発光している有機ＥＬ素子の電位Ｖｅとの和に相当する電圧に設定する必要がある。
【００３０】
本発明のディスプレイ表示装置においては、表示パネルの陰極の配線抵抗による電圧降下は発光素子を流れる電流に比例するので、選択されるスキャン線の各発光素子を流れる電流の総和をモニタして、そのモニタした電流の大きさに基づいて、非選択のスキャン線の各発光素子の発光を阻止するバイアス電圧Ｖｂを決める。または、発光時の表示データから演算して電流を推測し、その推測した電流値に基づいてバイアス電圧を決める。
【００３１】
図４の（ａ）に示したように、モニタした電流が小さいときには、非選択のスキャン線の各発光素子の発光を阻止するバイアス電圧Ｖｂを小さく設定する。また、図４の（ｂ）に示したように、モニタした電流が最大のときには、非選択のスキャン線の各発光素子の発光を阻止するバイアス電圧Ｖｂを最大値に設定する。
【００３２】
マトリクス型表示の有機ＥＬディスプレイ表示装置において、スキャン側である陰極を流れる電流を見積もり、その電流によって起こるスキャン線の電圧降下に応じたバイアス電圧を動的に変化させて印加することにより、非選択のスキャン線の各発光素子にかかる電圧は、有機ＥＬ素子の発光閾値電圧以下に抑えることができ、素子の耐圧特性をほとんど考慮することなく、高品位な表示を実現できる。
【００３３】
図５は、本発明の一実施例に係るディスプレイ表示装置のディスプレイ駆動回路を示す。
【００３４】
図５のディスプレイ表示装置は、携帯情報端末等に用いられる、３２０×ＲＧＢ×２４０画素のＱＶＧＡ（ｑｕａｒｔｅｒ  ｖｉｄｅｏ  ｇｒａｐｈｉｃｓ  ａｒｒａｙ）画面で大きさが３．５型の、有機ＥＬ素子を利用した表示パネル２０を備える。表示パネル２０は、マトリクス状に配置されたデータ線とスキャン線の各交点に接続した複数の有機ＥＬ素子（発光素子）で構成されている。図３に示したように、各発光素子の有機ＥＬ発光層が陽極及び陰極で挟持される構成されている。この実施例では、データ側電極を陽極（透明電極）としてＩＴＯ、スキャン側電極を陰極としてＡｌ／Ｌｉを用いている。
【００３５】
図５のディスプレイ表示装置は、表示パネル２０の発光素子を発光させるときに、各発光素子の陽極と接続したデータ線に、入力された発光輝度に応じた電流を流すよう駆動するデータ駆動回路２２と、各発光素子の陰極と接続したスキャン線を順次選択して接地状態とするスキャン回路２４とを備える。データ駆動回路２２は、表示パネル２０のデータ側電極に接続した各データ線と接続されたデータドライバ２２ａを含む。
【００３６】
表示パネル２０の表示領域の外側には駆動用ドライバＩＣを搭載したフィルム基板（ＣＯＦ）を接続するための端子としてＩＴＯとＣｒの積層の配線電極を用いる。
【００３７】
図５のディスプレイ表示装置において、制御回路２３は、外部から入力されるデータ（映像信号）を取り込み、表示パネル２０のスキャン線を順次選択するためのスキャン信号をスキャン回路２４へ出力するとともに、表示パネル２０のデータ線に発光輝度に応じた電流を流すためのデータ信号をデータ駆動回路２２へ出力する。
【００３８】
図５のディスプレイ表示装置はさらに、データドライバ２２ａに駆動電流を供給する電源２１と、スキャン回路２４にバイアス電圧を印加するスキャン電源２５と、スキャン電源２５から印加されるバイアス電圧を選択スキャン線の各発光素子を流れる電流の総和に基づいて可変する電圧調整回路２６を備える。
【００３９】
ここで、図５のディスプレイ表示装置の動作について説明する。
【００４０】
データ（映像信号）が制御回路２３に入力されると、制御回路２３は１スキャン線（１走査線）ごとにデータ信号（発光輝度データ）をデータドライバ２２ａへ出力する。このときに、電源２１からデータドライバ２２ａに供給される駆動電流は、選択スキャン線上の各発光素子（本実施例では、３２０×ＲＧＢ個の画素に相当する）を流れる電流の総和となる。
【００４１】
一方、スキャン回路２４には、非選択のスキャン線上の各発光素子の点灯を防ぐために予め設定されたバイアス電圧がスキャン電源２５から供給されている。図５の実施例では、選択されたスキャン線の各発光素子を流れる電流の総和（駆動電流）を示す電流モニタ信号が電源２１から電圧調整回路２６へ出力される。電圧調整回路２６は、この電流モニタ信号に基づいて、スキャン電源２５から印加されるバイアス電圧を制御するための電圧制御信号をスキャン電源２５へ出力する。
【００４２】
したがって、スキャン電源２５からスキャン回路２４に印加するバイアス電圧が、電圧調整回路２６によって、選択スキャン線の各発光素子を流れる電流の総和（駆動電流）に基づいて可変される。具体的には、駆動電流が大きくなれば、配線抵抗による電圧降下が大きくなるため、大きなバイアス電圧をスキャン回路２４に供給し、駆動電流が小さくなれば、供給するバイアス電圧を小さくする。
【００４３】
図５の実施例の配線抵抗は、配線の長さを１０ｍｍ、幅を１２０μｍ、配線の面抵抗を２Ω／□とした場合、約１６７Ωとなる。このスキャン線に流れる電流は、データ線に流す電流を最大２０μＡ／本としたら、最大９６０×２０μＡ＝１９．２ｍＡとなり電圧降下は１９．２ｍＡ×１６７Ω＝３．２Ｖとなる。
【００４４】
その結果、必要となるバイアス電位は、最大２０μＡの電流を有機ＥＬ素子に流すときに有機ＥＬ素子によって生じる電位と、電圧降下３．２Vとの和に相当する電圧となる。
【００４５】
本実施例の有機ＥＬディスプレイ表示装置では、１８Ｖ（輝度５０ｃｄ／ｍ２）であったので、バイアス電圧として最大２１．２Ｖを設定すればよい。最小のバイアス電圧は、全面非発光時で電流が流れないので電圧降下はゼロ、有機ＥＬ素子にも電圧が印加されないのでゼロとなり、０Ｖとなる。
【００４６】
駆動時には、バイアス電圧は、０Ｖから２１．２Ｖの間の必要最小限の電圧値に設定されることになり、データ線側電源から流れる電流を監視して、その電流モニタ信号の値に基づいてバイアス電圧を調整することにより、その調整されたバイアス電圧をスキャン回路２４を介して非選択のスキャン線に印加する。
【００４７】
次に、図６を用いて、本発明の他の実施例に係るディスプレイ表示装置の構成について説明する。
【００４８】
図６の実施例は、図５のディスプレイ駆動回路における制御回路２３及び電圧調整回路２６の機能を異なる構成で実現するための例である。図６において、ステップＳ１１乃至Ｓ１４は、図５の実施例における制御回路２３に相当する本実施例の機能を説明するためのフロー図である。説明の便宜上、図６の実施例は、外部から入力されるデータ（映像信号）を取り込み、ステップＳ１１乃至Ｓ１４を実行する制御回路２３を備えるものとする。
【００４９】
図６の実施例において、Ｄ／Ａ変換器２６１及びＯＰアンプ２６２は、図５の実施例における電圧調整回路２６に相当する本実施例の回路構成を示す。また、抵抗Ｒ１と抵抗Ｒ２は、図５の実施例におけるスキャン電源２５を構成する回路の一部に相当する。スキャン回路２４、及びその他のディスプレイ表示装置の構成は、図５の実施例の構成と基本的に同一である。
【００５０】
パーソナルコンピュータ（ＰＣ）のディスプレイ表示画像の解像度が２６万画素の場合、各画素の色情報は６ビットである。このデータ信号を図６のディスプレイ表示装置に入力して、各データ線に発光輝度に応じた電流を流して映像表示を行う。図６の実施例では、制御回路２３、Ｄ／Ａ変換器２６１及びＯＰアンプ２６２が、非選択のスキャン線に印加するバイアス電圧（発光阻止電圧）をこのデータ信号の輝度情報に基づいて決定する。
【００５１】
まず、図６の実施例における制御回路２３の動作について説明する。
【００５２】
図５の実施例と同様に、表示パネル２０の解像度を３２０×ＲＧＢ×２４０とした場合、１本のスキャン線に流れ込む電流は、３２０×ＲＧＢ＝９６０本のデータ線から流れ込む。
【００５３】
制御回路２３は、入力されるデータ信号（輝度データ）を１走査線ごとにデータバッファに取り込む（Ｓ１１）。制御回路２３は、ラッチされたデータ信号に基づいて、９６０本のデータ線に相当する各輝度データをそれぞれ加算（入力データＡ＋演算値Ｂ−＞演算値Ｂ）する（Ｓ１２）。制御回路２３は、９６０回の輝度データの積算が完了したか否かを判定する（Ｓ１３）。９６０回の輝度データの積算がまだ未完了であれば、ステップＳ１２に戻る。９６０回の輝度データの積算が完了すると、制御回路２３は、９６０個の輝度データを積算した演算結果を示すデジタル信号をＤ／Ａ変換器２６１へ出力する（Ｓ１４）。
【００５４】
次に、図６の実施例におけるＤ／Ａ変換器２６１及びＯＰアンプ２６２の動作について説明する。
【００５５】
Ｄ／Ａ変換器２６１は、制御回路２３で生成される９６０個の輝度データを積算したデジタル信号を入力し、その入力値に応じてＤ／Ａ変換を行った結果として生成される電圧信号を、ＯＰアンプ２６２の一方の入力端子に出力する。したがって、Ｄ／Ａ変換器２６１の出力電圧は、選択スキャン線の各発光素子を流れる電流の総和（輝度データの積算値）に応じて調整される。ＯＰアンプ２６２の他方の入力端子には、予め設定された基準バイアス電圧（図６の実施例では、抵抗Ｒ１と抵抗Ｒ２の分圧比で決定される電圧）が印加される。
【００５６】
図６の実施例では、制御回路２３で生成されるデジタル信号が１６ビットであるので、１６ビットのＤ／Ａ変換器２６１を用いている。ＯＰアンプ２６２は、Ｄ／Ａ変換器２６１からのアナログ信号を増幅して、非選択ラインの発光を阻止するバイアス電圧として、スキャン回路２４へ出力する。この電圧をスキャン回路２４の高圧側電源として用いれば、輝度データに応じてバイアス電圧を変化させることができる。
【００５７】
次に、図８は、本発明の一実施例に係るディスプレイ表示装置の表示パネル上のスキャン線側配線及びフィルム基板（ＣＯＦ）上の配線を示す。
【００５８】
図８において、表示パネル２０とフィルム基板４０とを接続する配線の引き回しによる電圧降下を下げる為に、少なくともスキャン線側の各陰極端子から引き出される配線４１は、表示パネル２０上では、配線を各陰極端子と略同じ幅で直線状に引き回し、駆動ドライバＩＣ４４が搭載されたフィルム基板４０上の配線４２では、表示パネル２０の陰極材料より低抵抗な材料を用いて配線の引き回しを行う。
【００５９】
マトリクス型表示の有機ＥＬ表示装置において、スキャン側である陰極を流れる電流は、表示領域２０ａの端から駆動用ドライバＩＣ４４までの引き回し配線として低抵抗な電極を経て流れるので、スキャン線の配線抵抗による電圧降下が減少される。したがって、輝度の向上、輝度むらの減少を実現でき、高品位な表示を実現できる。
【００６０】
図８のディスプレイ表示装置は、前述の実施例と同様に、３２０×ＲＧＢ×２４０画素のＱＶＧＡ画面で大きさが３．５型の有機ＥＬ素子を利用した表示パネル２０を備える。データ側電極を陽極としてＩＴＯ、スキャン側電極を陰極としてＡｌ／Ｌｉを用いる。端子部の電極は、表示パネル２０のスキャン線側の各陰極と同じ幅で直線状に引き出す。駆動用ドライバＩＣ４４との接続は、フィルム状に銅箔で形成した配線、いわゆるＣＯＦ（ｃｈｉｐ  ｏｎ  ｆｉｌｍ）基板を用いて行う。銅箔の厚みを８μｍ、幅を２１０μｍ、配線の長さを３０ｍｍとした場合、配線抵抗は約０．５Ωとなる。ここで、表示パネル２０とフィルム基板４０との接続は異方性導電膜を用いて接続することができる。
【００６１】
このスキャン線に流れる電流は、各データ線に流す電流を最大２０μＡ／本とする場合、最大９６０×２０μA＝１９．２ｍＡとなり、スキャン線の配線抵抗による電圧降下は、１９．２ｍＡ×０．５Ω＝９．６ｍＶとなる。この電圧では、輝度の差や輝度むら等は目視では観察できず、高品位な表示を実現することができる。
【００６２】
図８の実施例では、フィルム基板４０を用いたが、表示パネル２０とフィルム基板４０との接続は、絶縁性基板を用いて行うこともできる。
【００６３】
（付記１）マトリクス状に配置されたデータ線とスキャン線の各交点に接続した複数の
発光素子を含み、各発光素子の発光層を第１及び第２の電極で挟持するよう構成した表示パネルと、前記発光素子を発光させる際に、各発光素子の前記第１の電極と接続した前記データ線に発光輝度に応じた電流を流すように駆動するデータ駆動回路と、各発光素子の前記第２の電極と接続した前記スキャン線を順次選択するスキャン回路と、非選択のスキャン線の各発光素子に印加される電圧が非発光状態を保つための閾値以下となるようにバイアス電圧を前記スキャン回路を介して非選択のスキャン線に印加する電源と、前記電源から印加される前記バイアス電圧を、選択スキャン線の各発光素子を流れる電流の総和に基づいて可変する電圧調整回路とを備えることを特徴とするディスプレイ表示装置。
【００６４】
（付記２）前記電圧調整回路は、非選択のスキャン線の各発光素子の前記第２の電極の配線抵抗による電圧降下を含めたバイアス電圧を非選択のスキャン線に印加するよう構成したことを特徴とする付記１記載のディスプレイ表示装置。
【００６５】
（付記３）前記電圧調整回路は、各データ線の輝度を制御するために送出されるデジタルデータを演算して得られた値に基づいて前記バイアス電圧を決定することを特徴とする付記１記載のディスプレイ表示装置。
【００６６】
（付記４）各データ線に送出される輝度データを積算して得られたデジタル値を電圧信号に変換することにより得られた電圧を増幅することにより、前記バイアス電圧が生成されることを特徴とする付記３記載のディスプレイ表示装置。
【００６７】
（付記５）前記発光素子は、少なくとも有機物からなるＥＬ発光層を有する有機ＥＬ素子であることを特徴とする付記１記載のディスプレイ表示装置。
【００６８】
（付記６）マトリクス状に配置されたデータ線とスキャン線の各交点に接続した複数の
発光素子を含み、各発光素子の発光層を第１及び第２の電極で挟持するよう構成した表示パネルと、前記発光素子を発光させる際に、各発光素子の前記第１の電極と接続した前記データ線に発光輝度に応じた電流を流すように駆動するデータ駆動回路と、各発光素子の前記第２の電極と接続した前記スキャン線を順次選択するスキャン回路とを備えるディスプレイ表示装置の駆動方法であって、非選択のスキャン線の各発光素子に印加される電圧が非発光状態を保つための閾値以下となるようにバイアス電圧を非選択のスキャン線に印加する電圧印加手順と、前記バイアス電圧を、選択スキャン線の各発光素子を流れる電流の総和に基づいて可変する電圧調整手順とを有することを特徴とするディスプレイ表示装置の駆動方法。
【００６９】
（付記７）前記電圧調整手順は、非選択のスキャン線の各発光素子の前記第２の電極の配線抵抗による電圧降下を含めたバイアス電圧を非選択のスキャン線に印加するよう構成したことを特徴とする付記６記載のディスプレイ表示装置の駆動方法。
【００７０】
（付記８）前記電圧調整手順は、各データ線の輝度を制御するために送出されるデジタルデータを演算して得られた値に基づいて前記バイアス電圧を決定することを特徴とする付記６記載のディスプレイ表示装置の駆動方法。
【００７１】
（付記９）各データ線に送出される輝度データを積算して得られたデジタル値を電圧信号に変換することにより得られた電圧を増幅することにより、前記バイアス電圧が生成されることを特徴とする付記８記載のディスプレイ表示装置の駆動方法。
【００７２】
（付記１０）前記発光素子は、少なくとも有機物からなるＥＬ発光層を有する有機ＥＬ素子であることを特徴とする付記６記載のディスプレイ表示装置の駆動方法。
【００７３】
（付記１１）マトリクス状に配置されたデータ線とスキャン線の各交点に接続した複数
の発光素子を含み、各発光素子の発光層を第１及び第２の電極で挟持するよう構成した表示パネルと、前記発光素子を電流駆動するための駆動用ドライバＩＣを搭載し、前記表示パネル外側に配設される基板と、前記表示パネルと前記駆動用ドライバＩＣを接続する配線と  を備え、前記配線が、前記表示パネルのスキャン線側の各第２の電極端子から引き出され、前記第２の電極端子と略同じ幅で直線状に形成される第１の配線と、前記駆動用ドライバＩＣと接続するため前記基板上に配設され、前記表示パネルの第２の電極材料よりも低抵抗な材料を用いて形成される第２の配線とから構成されることを特徴とするディスプレイ表示装置。
【００７４】
（付記１２）前記基板はフィルム基板を用いて形成され、前記第２の配線は前記フィルム基板上に設けた前記駆動用ドライバＩＣと接続されることを特徴とする付記１１記載のディスプレイ表示装置。
【００７５】
（付記１３）前記表示パネルと前記フィルム基板の接続は異方性導電膜を用いて接続されることを特徴とする付記１２記載のディスプレイ表示装置。
【００７６】
（付記１４）前記基板は絶縁性基板を用いて形成され、前記第２の配線は前記絶縁性基板上に設けた前記駆動用ドライバＩＣと接続されることを特徴とする付記１１記載のディスプレイ表示装置。
【００７７】
（付記１５）前記発光素子は、少なくとも有機物からなるＥＬ発光層を有する有機ＥＬ素子であることを特徴とする付記１１記載のディスプレイ表示装置。
【図面の簡単な説明】
【００７８】
【図１】従来のパッシブマトリクス型ディスプレイ表示装置の構成を示す図である。
【図２】図１のディスプレイ表示装置における駆動方式を説明するための図である。
【図３】図１のディスプレイ表示装置における発光素子の構成を示す断面図である。
【図４】本発明のディスプレイ表示装置の動作原理を説明するための図である。
【図５】本発明の一実施例に係るディスプレイ表示装置のディスプレイ駆動回路を示すブロック図である。
【図６】図５のディスプレイ駆動回路における制御回路及び電圧調整回路の構成及び動作を説明するための図である。
【図７】従来のディスプレイ表示装置における走査線側の配線を示す図である。
【図８】本発明の一実施例に係るディスプレイ表示装置の表示パネル上の走査線側配線及びフィルム基板上の配線を示す図である。
【符号の説明】
【００７９】
２  有機ＥＬ素子
４  データ側電極端子
１０  ディスプレイ表示装置
２０  表示パネル
２１  電源
２２  データ駆動回路
２３  制御回路
２４  スキャン回路
２５  スキャン電源
２６  電圧調整回路
３０  フィルム基板（ＣＯＦ）
３１  引き回し配線
３２  フィルム基板上の配線
３４  駆動用ドライバＩＣ
４０  フィルム基板（ＣＯＦ）
４１  表示パネル上の配線
４２  フィルム基板上の配線
４４  駆動用ドライバＩＣ
【図１】
2005070314.tif 000003
【図２】
2005070314.tif 000004
【図３】
2005070314.tif 000005
【図４】
2005070314.tif 000006
【図５】
2005070314.tif 000007
【図６】
2005070314.tif 000008
【図７】
2005070314.tif 000009
【図８】
2005070314.tif 000010